(57)【要約】【課題】  レーザダイオードホルダーをフレームに取り付ける際に、縦横方向での位置調整や傾角調整を容易に行うことを可能にする。傾角調整に調整ねじや球面を利用する必要性を無くして部品点数を削減する。レーザダイオードの放熱効率を高める。【解決手段】  レーザダイオードを保持したホルダー本体１０と、ホルダー本体１０を揺動可能に保持する板金製の取付具３０とに分かれている。取付具３０の平板部３１を縦横方向の位置合わせ後にフレーム１の取付面１Ａに接着剤で接合固定する。取付具３０に対する揺動角度を調整することによってレーザダイオード５０の傾角を調整したホルダー本体１０を接着剤によって平板部３１に接合固定する。【選択図】        図１
2006134408.tif 000002
【特許請求の範囲】
【請求項１】
光源としてのレーザダイオードのレーザ光を対物レンズを経てディスク面に照射し、その反射光を上記対物レンズを経て受光素子に導く光路を形成するための光学系要素が搭載されたフレームの取付面に取り付けられるレーザダイオードホルダーであって、
レーザダイオードを圧入状態で保持した取付孔部を有する横長のホルダー本体と、このホルダー本体を揺動可能に保持する弾性を備えた板金製の取付具とに分かれていて、
取付具が、上記フレームの平坦な取付面に縦横方向に位置合わせして重ね合わされた後にその取付面に接着剤によって接合固定される平板部を有し、
この平板部が、上記ホルダー本体の前面を覆う大きさの横長略矩形に形成されていて、その平板部の長手方向の両端部のそれぞれに、上記取付具に対する揺動角度を調整することによって上記レーザダイオードの傾角を調整したホルダー本体を接着剤によって接合固定するための接合部を形成する後向き突片が備わり、
その平板部の幅方向両端中央部のそれぞれに折曲形成されている上下の後向き突出片の相互間に上記ホルダー本体が弾圧挟持されてホルダー本体が平板部に対してその幅方向で位置決めされていると共に、それらの後向き突出片のそれぞれに開設された軸孔に、上記ホルダー本体の上下両面のそれぞれに形成された突起が各別に嵌合されてそのホルダー本体が取付具に揺動可能に保持されており、
上下の上記後向き突出片が、それらの後向き突出片の相互間に押し込まれる上記ホルダー本体を案内する後拡がりの呼込みガイド片を備え、その呼込みガイド片と上記軸孔との間に亘って、上記突起を軸孔に導くガイド溝が形成されていることを特徴とするレーザダイオードホルダー。
【請求項２】
光源としてのレーザダイオードのレーザ光を対物レンズを経てディスク面に照射し、その反射光を上記対物レンズを経て受光素子に導く光路を形成するための光学系要素が搭載されたフレームの取付面に取り付けられるレーザダイオードホルダーにおいて、
レーザダイオードを圧入状態で保持した取付孔部を有するホルダー本体と、このホルダー本体を揺動可能に保持する板金製の取付具とに分かれていて、
取付具が、上記フレームの平坦な取付面に縦横方向に位置合わせして重ね合わされた後にその取付面に接着剤によって接合固定される平板部を有し、この平板部に、上記取付具に対する揺動角度を調整することによって上記レーザダイオードの傾角を調整したホルダー本体を接着剤によって接合固定するための接合部が備わっていることを特徴とするレーザダイオードホルダー。
【請求項３】
上記取付具の平板部が、横長の上記ホルダー本体の前面を覆う大きさの横長略矩形に形成されていて、その平板部の長手方向端部に、上記接合部を形成する後向き突片が備わっている請求項２に記載したレーザダイオードホルダー。
【請求項４】
上記取付具を形成している板金が弾性を有し、上記平板部の幅方向両端部のそれぞれに折曲形成されている上下の後向き突出片の相互間に上記ホルダー本体が弾圧挟持されていると共に、それらの後向き突出片のそれぞれに開設された軸孔に、上記ホルダー本体の上下両面のそれぞれに形成された突起が各別に嵌合されてそのホルダー本体が取付具に揺動可能に保持されている請求項３に記載したレーザダイオードホルダー。
【発明の詳細な説明】
【技術分野】
【０００１】
本発明は、レーザダイオードホルダー、特に、ディスク面に光を照射するための光ピックアップの光源として用いられるレーザダイオードのホルダーに関する。
【背景技術】
【０００２】
図５はＤＶＤプレーヤなどの光ディスク記録／再生装置の光ピックアップの一般的な構成を説明するための説明図である。同図のように、光ピックアップでは、受光素子３と光源してのレーザダイオード２とが取り付けられているフレーム１に、対物レンズ４を備えたアクチュエータのほか、回折格子５、ハーフミラー６、、コリメータレンズ７などの光学系要素が搭載されていて、レーザダイオード２のレーザ光が、回折格子５、ハーフミラー６、コリメータレンズ７及び対物レンズ４を経てディスク面Ｄに照射され、その反射光が、コリメータレンズ７及びハーフミラー６を経て受光素子３に導かれる。そして、ディスク面Ｄに対する記録／再生性能の良否が、上記光学系要素による光路が適正に形成されるか否かによって影響を受ける。そのため、レーザダイオード２をフレーム１に取り付けて固定するための組立工程では、レーザダイオード２を固定したレーザダイオードホルダーを縦横方向で位置合わせすると共に、レーザダイオード２のレーザ光の光軸の向きを調整することが行われる。
【０００３】
そこで、従来より、光ピックアップにおけるレーザダイオードの取付構造やその光軸調整に関する技術が種々提案されている（たとえば特許文献１〜６参照）。
【０００４】
特許文献１には、半導体レーザ（レーザダイオード）を２本のビスでビス止めした取付プレート（ホルダー）を、複数のコイルスプリングと調整ねじとを使ってヘッド本体（フレーム）に取り付けることが示されていて、このものによると、任意の調整ねじを回転操作することによって半導体レーザの光軸ずれを修正することができるようになっている。
【０００５】
特許文献２には、光ピックアップのベース（フレーム）に縦横方向に位置合わせして重ね合わされた後にその取付面に接着剤によって接合固定されたホルダーに、レーザダイオードが取り付けられた操作板を一体に形成しておき、その操作板の傾きを調整ねじを操作して変更することによりレーザダイオードの傾斜角度を修正することが記載されている。
【０００６】
特許文献３には、半導体レーザ素子を取り付けたホルダー部をベース部に傾動可能に取り付けておき、ネジを回転操作することによるホルダー部の傾動によって半導体レーザ素子の光軸調整を行うことが記載されている。
【０００７】
特許文献４には、光学ヘッド（フレーム）にビス止めした調整台にＬＤ（レーザ発光素子：レーザダイオード）を取り付けておき、その調整台の傾きを調整ねじを操作することによって調整することが記載されている。
【０００８】
特許文献５及び同６には、ＬＤユニットの傾きを球面を利用して調整することが記載されている。また、特許文献５には、ホログラムＬＤユニットの調整組立装置についても言及されている。
【特許文献１】特開平２−２２０２２８号公報
【特許文献２】実用新案登録第３０９８７９４号公報
【特許文献３】特開２００４−１７１６２７号公報
【特許文献４】特許２８３５７７８号公報
【特許文献５】特開２００４−１７１６２７号公報
【特許文献６】特許第３０８５３７７号公報
【発明の開示】
【発明が解決しようとする課題】
【０００９】
しかしながら、特許文献１〜４のように、調整ねじ又はコイルスプリングを用いてレーザダイオードの傾角調整を行うものでは、調整ねじ又はコイルスプリングが余分に必要になるだけでなく、その調整作業が熟練を要して困難な作業になる。また、特許文献５，６のように球面を利用するものでは、球面の形成に高精度が必要になってコスト高になる。
【００１０】
その中でも、特許文献２に記載されている技術は、ベース（フレーム）に縦横方向に位置合わせして重ね合わされた後にその取付面に接着剤によって接合固定されたホルダーと、レーザダイオードが取り付けられた操作板とが、両者をつなぐブリッジとして形成されている幅狭の弾性連結片によって一体に連結されているので、調整ねじを余分に用いるものではあるけれども、操作板がホルダーと一体に形成されている点で部品点数を少なくすることができるという長所を持っていると云える。
【００１１】
しかし、この特許文献２記載の技術は、レーザダイオードの傾斜角度を修正する工程での調整ねじの回転操作によって上記弾性連結片が弾性に抗して捩じられるので、場合によってはその弾性連結片が破断するという事態の起こる可能性があり、また、操作板とホルダーとの一体物の単品での取扱い時に上記弾性連結片が折損したり不慮に捩じられたりして使用不可能な状態に陥ってしまうおそれがある。
【００１２】
本発明は以上の状況のもとでなされたものであり、レーザダイオードホルダーをフレームに取り付ける際に、組立装置による縦横方向での位置調整又はレーザダイオードの傾角調整を容易に行うことが可能になり、しかも、レーザダイオードの傾角調整に調整ねじや球面を利用する必要性のないレーザダイオードホルダーを提供することを目的とする。
【００１３】
また、本発明は、ホルダー本体と取付具との２つの部品を必要とするものでありながら、それらの取扱いが容易で、しかも安価に構成することのできるレーザダイオードホルダーを提供することを目的とする。
【００１４】
さらに加えて、本発明は、放熱が必要となるレーザダイオードの放熱効率を高めることのできるレーザダイオードホルダーを提供することを目的とする。
【課題を解決するための手段】
【００１５】
本発明に係るレーザダイオードホルダーは、光源としてのレーザダイオードのレーザ光を対物レンズを経てディスク面に照射し、その反射光を上記対物レンズを経て受光素子に導く光路を形成するための光学系要素が搭載されたフレームの取付面に取り付けられる。そして、このレーザダイオードホルダーは、レーザダイオードを圧入状態で保持した取付孔部を有するホルダー本体と、このホルダー本体を揺動可能に保持する板金製の取付具とに分かれていて、取付具が、上記フレームの平坦な取付面に縦横方向に位置合わせして重ね合わされた後にその取付面に接着剤によって接合固定される平板部を有し、この平板部に、上記取付具に対する揺動角度を調整することによって上記レーザダイオードの傾角を調整したホルダー本体を接着剤によって接合固定するための接合部が備わっている。
【００１６】
この構成であれば、ホルダー本体を保持させた取付具の平板部をフレームの平坦な取付面に重ね合わせて滑らせることによって縦横方向の位置合わせを行うことができるので、互いに直交する２軸方向（Ｘ軸方向とＹ軸方向）でレーザダイオードの位置調整を組立装置を使って容易にかつ正確に行うことが可能になる。また、ホルダー本体は、縦横方向の位置合わせを行った取付具に揺動可能に保持されているので、ホルダー本体を揺動させてレーザダイオードの傾角調整を容易に行うことができる。また、取付具の平板部をフレームの取付面に接着剤によって接合固定し、レーザダイオードの傾角調整後のホルダー本体を接着剤によって平板部の接合部に接合固定するものであるので、調整ねじやコイルスプリングを用いることなく、レーザダイオードホルダーをフレームに取り付けることが可能になる。
【００１７】
本発明では、上記取付具の平板部が、横長の上記ホルダー本体の前面を覆う大きさの横長略矩形に形成されていて、その平板部の長手方向端部に、上記接合部を形成する後向き突出片が備わっていることが望ましい。これによれば、レーザダイオードの発熱が、ホルダー本体を経て取付具の平板部に伝わって放熱される。その場合、平板部がホルダー本体の前面を覆う大きさの横長略矩形に形成されていることにより、平板部の放熱面積が広く確保されて高い放熱性能が発揮されるようになる。
【００１８】
本発明では、上記取付具を形成している板金が弾性を有し、上記平板部の幅方向両端部のそれぞれに折曲形成されている上下の後向き突出片の相互間に上記ホルダー本体が弾圧挟持されていると共に、それらの後向き突出片のそれぞれに開設された軸孔に、上記ホルダー本体の上下両面のそれぞれに形成された突起が各別に嵌合されてそのホルダー本体が取付具に揺動可能に保持されていることが望ましい。これによれば、ホルダー本体は、取付具に対して縦横方向に確実に位置決めされているので、取付具をフレームに縦横方向に位置合わせして取り付けるだけでレーザダイオードの縦横方向の位置合わせが正確に行われる。
【００１９】
本発明に係るレーザダイオードホルダーは、次の構成を採用することによっていっそう具体化される。すなわち、光源としてのレーザダイオードのレーザ光を対物レンズを経てディスク面に照射し、その反射光を上記対物レンズを経て受光素子に導く光路を形成するための光学系要素が搭載されたフレームの取付面に取り付けられるレーザダイオードホルダーであって、レーザダイオードを圧入状態で保持した取付孔部を有する横長のホルダー本体と、このホルダー本体を揺動可能に保持する弾性を備えた板金製の取付具とに分かれていて、取付具が、上記フレームの平坦な取付面に縦横方向に位置合わせして重ね合わされた後にその取付面に接着剤によって接合固定される平板部を有し、この平板部が、上記ホルダー本体の前面を覆う大きさの横長略矩形に形成されていて、その平板部の長手方向の両端部のそれぞれに、上記取付具に対する揺動角度を調整することによって上記レーザダイオードの傾角を調整したホルダー本体を接着剤によって接合固定するための接合部を形成する後向き突出片が備わり、その平板部の幅方向両端中央部のそれぞれに折曲形成されている上下の後向き突出片の相互間に上記ホルダー本体が弾圧挟持されてホルダー本体が平板部に対してその幅方向で位置決めされていると共に、それらの後向き突出片のそれぞれに開設された軸孔に、上記ホルダー本体の上下両面のそれぞれに形成された突起が各別に嵌合されてそのホルダー本体が取付具に揺動可能に保持されており、上下の上記後向き突出片が、それらの後向き突出片の相互間に押し込まれる上記ホルダー本体を案内する後拡がりの呼込みガイド片を備え、その呼込みガイド片と上記軸孔との間に亘って、上記突起を軸孔に導くガイド溝が形成されていることによっていっそう具体化される。
【００２０】
特にこの発明では、上下の後向き突出片が、それらの後向き突出片の相互間に押し込まれるホルダー本体を案内する後拡がりの呼込みガイド片を備え、その呼込みガイド片と上記軸孔との間に亘って、上記突起を軸孔に導くガイド溝が形成されているという構成により、ホルダー本体を取付具に保持させるための工程を容易にかつ正確に行うことができるようになる。
【発明の効果】
【００２１】
以上のように、本発明によれば、レーザダイオードホルダーをフレームに取り付ける際に、組立装置による縦横方向での位置調整や、レーザダイオードの傾角調整を容易に行うことが可能になり、しかも、レーザダイオードの傾角調整に調整ねじや球面を利用する必要性がなくなってそれだけ部品点数が削減されるので、レーザダイオードホルダーないしそのレーザダイオードホルダーを採用した光ピックアップを安価に提供することが可能になる。さらに加えて、本発明によれば、取付具が高性能の放熱部品としても機能するので、放熱が必要となるレーザダイオードの放熱効率が高まるという効果が奏される。
【発明を実施するための最良の形態】
【００２２】
図１は本発明の実施形態に係るレーザダイオードホルダーＡの分解斜視図、図２は同レーザダイオードホルダーＡの背面図、図３は図２のＩＩＩ−ＩＩＩ線に沿う部分の断面図、図４は図２のＩＶ−ＩＶ線に沿う部分の断面図である。
【００２３】
図１のように、このレーザダイオードホルダーＡは、アルミニウム製の横長略矩形のダイキャスト成形品でなるホルダー本体１０と、板金材に打抜き架構や折曲げ加工を施すことによって形成された弾性を備えた取付具３０とに分かれている。
【００２４】
ホルダー本体１０は、厚さ方向に貫通する取付孔部１１を長手方向中央部に備えていて、その取付孔部１１に具備された圧入面１２を活用することにより、図３又は図４に仮想線で示したようにパッケージとして形成されているレーザダイオード５０が圧入状態で保持されている。また、ホルダー本体１０の上面と下面には同心状に円形の突起１３，１４が一体に形成されているのに対し、それらの突起１３，１４の左右両側では、ホルダー本体１０の前面が、所定の逃がし勾配の付与された逃がし傾斜面１５，１６として形成されている。
【００２５】
これに対し、取付具３０は、ホルダー本体１０の前面を覆う大きさの横長略矩形に形成された平板部３１を有していて、この平板部３１の長手方向中央部にレーザダイオード５０の頂部が挿入される開口３２が円形に開設されている一方、長手方向の左右両端部のそれぞれに後向き突片３３，３４が切起し形成されている。これらの後向き突片３３，３４は、平板部３１の耐変形強度を高めるための補強リブとして役立つだけでなく、その平板部３１をフレーム１に接着剤で接合する際の接合面積を増大させて接合強度を高めることや、その平板部３１にホルダー本体１０を接着剤で接合する際の接合面積を増大させて接合強度を高めることなどに役立つ部分である。言い換えると、これらの後向き突片３３，３４の形成箇所によってホルダー本体１０を接合固定するための接合部３３ａ，３４ａが形成されている。
【００２６】
上記平板部３１の上縁中央部と下縁全長部分とにそれぞれ後向き突出片４１，４５が折曲形成されていて、それらの各後向き突出片４１，４５の後端に、後拡がり形状に傾斜した呼込みガイド片４２，４６が連設されている。また、上下の後向き突出片４１，４５には、ホルダー本体１０側の上下の突起１３，１４ががたつきのない状態で各別に嵌合される円形の軸孔４３，４７が開設されていると共に、呼込みガイド片４２，４６とそれらの軸孔４３，４７との間に亘ってスリットでなるガイド溝４４，４８が形成されている。なお、上下の後向き突出片４１，４５は、それらの相互間に嵌め込まれたホルダー本体１０を上下方向で弾圧挟持する作用を発揮する。
【００２７】
以上説明したホルダー本体１０と取付具３０とを組み立てる工程では、上下の呼込みガイド片４２，４６の間にホルダー本体１０の長手方向中央部を嵌め込んだ後、そのホルダー本体１０を押し込んで上下の後向き突出片４１，４５の間に分け入らせる。この作業を行うと、ホルダー本体１０の上側の突起１３が、取付具３０側の上側のガイド溝４４により案内されて軸孔４３に嵌合すると共に、ホルダー本体１０の下側の突起１４が、取付具３０側の下側のガイド溝４８により案内されて軸孔４７に嵌合する。したがって、取付具３０側に具備されているガイド溝４４，４８の作用によって、突起１３，１４を軸孔４３，４７に嵌め込むときの作業性が顕著に向上する。
【００２８】
こうしてホルダー本体１０が取付具３０に取り付けられていると、ホルダー本体１０が取付具３０の上下の後向き突出片４１，４５により弾圧挟持され、しかも、取付具３０側の上下の軸孔４３，４７にホルダー本体１０側の上下の突起１３，１４ががたつきなく嵌合していることにより、取付具３０の平板部３１の長手方向及び幅方向でホルダー本体１０が位置決めされた状態になっている。したがって、図３及び図４に示したように、フレーム１の取付面１Ａに重ね合わせた平板部３１をその取付面１Ａの上で縦方向（Ｙ方向）及び横方向（Ｘ方向）に滑らせて縦横方向の位置合わせを行って位置調整を行った場合、ホルダー本体１０も取付具３０と一体となって縦横方向で位置調整される。
【００２９】
上記のような平板部３１の縦横方向の位置合わせは、位置決め機能を発揮する組立装置を用いることによって行われ、その場合に、縦横方向の位置合わせが、取付面１Ａに平板部３１を重ね合わせて滑らせるという工程を経て行われるために、組立装置を使う位置調整作業を容易にしかも正確に行うことができる。
【００３０】
位置決め機能を発揮する組立装置を用いて取付面１Ａに対する取付具３０の縦横方向の位置合わせを行った後、取付具３０と取付面１Ａとに跨がる適所に所定量の紫外線硬化接着剤などの接着剤を塗布することによって取付具３０が取付面１Ａに接合固定される。この場合、取付具３０はその平板部３１が取付面１Ａに重なり合っているので、その重なり箇所で両者を接合固定することが便利である。接合箇所としては、たとえば、平板部３１の４隅、後向き突片３３，３４の形成箇所、その他の箇所を適宜選択することが可能である。
【００３１】
こうして取付具３０が取付面１Ａに縦横方向で位置合わせされて接合固定された後、レーザダイオード５０の傾角調整が行われる。この傾角調整は、突起１３，１４と軸孔４３，４７との嵌合箇所を中心としてホルダー本体１０を揺動させる工程を経て行われる。そして、このような傾角調整を行った後、ホルダー本体１０と取付具３０側の後向き突片３３，３４によって形成されている接合部３３ａ，３４ａとに跨がって紫外線硬化接着剤などの接着剤を塗布することによってホルダー本体１０が取付具１０に接合固定される。
【００３２】
以上のように、この実施形態では、取付具３０がフレーム１の取付面１Ａに接着剤で接合固定され、その取付具３０に保持されているホルダー本体１０が取付具３０に接着剤で接合固定されるので、フレーム１に対するレーザダイオード５０の取付けにビスを用いる必要がなく、その上、レーザダイオード５０の傾角調整に調整ねじやスプリング、球面などを利用する必要がなくなる。
【００３３】
また、この実施形態では、取付具３０が板金製であり、しかも、その取付具３０には、ホルダー本体１０の前面を覆う大きさの平板部や上下の後向き突出片４１，４５などが備わっているため、この取付具３０を放熱性能の面から評価すると広い放熱面積によってレーザダイオード５０の発熱を効率よく放熱するための優れた放熱部材として役立つ。
【図面の簡単な説明】
【００３４】
【図１】本発明の実施形態に係るレーザダイオードホルダーの分解斜視図である。
【図２】同レーザダイオードホルダーの背面図である。
【図３】図２のＩＩＩ−ＩＩＩ線に沿う部分の断面図である。
【図４】図２のＩＶ−ＩＶ線に沿う部分の断面図である。
【図５】光ピックアップの一般的な構成を説明するための説明図である。
【符号の説明】
【００３５】
Ａ  レーザダイオードホルダー
Ｄ  ディスク面
１  フレーム
１Ａ  取付面
２，５０  レーザダイオード
３  受光素子
４  対物レンズ
１０  ホルダー本体
１１  取付孔部
１３，１４  突起
３０  取付具
３１  平板部
３３，３４  後向き突片
３３ａ，３４ａ  接合部
４１，４５  後向き突出片
４２，４６  呼込みガイド片
４３，４７  軸孔
４４，４８  ガイド溝
【図１】
2006134408.tif 000003
【図２】
2006134408.tif 000004
【図３】
2006134408.tif 000005
【図４】
2006134408.tif 000006
【図５】
2006134408.tif 000007